(57)【要約】【課題】見やすい映像を提供できるようにする。【解決手段】フロア型マルチディスプレイ装置１０は、マルチディスプレイ２０、透明パネル３０、及び複数の支持部材を備える。マルチディスプレイ２０は、複数のディスプレイ２１からなる。支持部材は、互いに隣接するディスプレイ２１同士の間に点在する第１支持部材４０Ａ，４０Ｂ、及びマルチディスプレイ２０の周囲に配置される第２支持部材５０Ａ，５０Ｂを含む。支持部材のそれぞれは、複数のディスプレイ２１のそれぞれの側面に沿う方向に側面に近接配置されるプレート部４１１Ａ，５１Ａを有する。第１支持部材４０Ａの受け部４１２Ａ及び基部４１３Ａは、プレート部４１１Ａに対して、近接する２個のディスプレイ２１の両者側へ突出する。第２支持部材５０Ａの受け部５２Ａ及び基部５３Ａは、プレート部５１Ａに対して、近接する１個のディスプレイ２１側のみへ突出する。【選択図】図１
2012042850.tif 000002
【特許請求の範囲】
【請求項１】
フロアに沿う方向にマトリクス配置された複数のディスプレイからなるマルチディスプレイと、
前記マルチディスプレイの全体を覆うように前記マルチディスプレイの上方に前記マルチディスプレイに対して間隙をあけて配置された１又は複数の透明パネルと、
前記複数のディスプレイのうち互いに隣接するディスプレイ同士の間に点在するように配置される複数の第１支持部材、及び前記マルチディスプレイの周囲に配置される１又は複数の第２支持部材を含む複数の支持部材と、を備え、
前記複数の支持部材のそれぞれは、前記複数のディスプレイのそれぞれの側面に沿う方向に前記側面に近接配置されるプレート部、前記プレート部の上端部に設けられて前記透明パネルを受ける受け部、及び前記プレート部の下端部に設けられて前記マルチディスプレイの下方の支持面に支持される基部を備え、
前記第１支持部材の受け部及び基部は、前記プレート部に対して、近接する２個のディスプレイの両者側へ突出し、
前記第２支持部材の受け部及び基部は、前記プレート部に対して、近接する１個のディスプレイ側のみへ突出する、フロア型マルチディスプレイ装置。
【請求項２】
前記複数の支持部材のそれぞれは、１枚の金属板が折り曲げられて構成される、請求項１に記載のフロア型マルチディスプレイ装置。
【請求項３】
前記複数の透明パネルは、前記複数のディスプレイのそれぞれに対応して配置される、請求項１又は２に記載のフロア型マルチディスプレイ装置。
【請求項４】
請求項１から３のいずれかに記載のフロア型マルチディスプレイ装置と、
前記マルチディスプレイと前記透明パネルとの間隙の空間を外部へ連通させるダクトと、を備え、
前記マルチディスプレイは、フロアに設けられた凹部内に収容され、
前記透明パネルは、上面が前記フロアと同一面を構成するように配置される、フロア型マルチディスプレイ装置設置用フロア構造。
【発明の詳細な説明】
【技術分野】
【０００１】
この発明は、マトリクス配置された複数のディスプレイからなるマルチディスプレイを備えたフロア型マルチディスプレイ装置及びフロア型マルチディスプレイ装置設置用フロア構造に関する。
【背景技術】
【０００２】
近年、複数のディスプレイがマトリクス配置されてなるマルチディスプレイが知られている。マルチディスプレイでは、複数のディスプレイによって１つの表示画面が構成される。このため、額の幅が狭いディスプレイを用いるほど、互いに隣接するディスプレイ間の映像の連続性の低下が抑制され、見やすい映像が提供される。
【０００３】
このようなマルチディスプレイは、フロアに設置されるフロア型マルチディスプレイ装置に備えられることがある。フロア型マルチディスプレイ装置は、マルチディスプレイが圧力や衝撃によって損傷することを防ぐために、マルチディスプレイの上方に透明パネルを備える（例えば、特許文献１参照。）。
【先行技術文献】
【特許文献】
【０００４】
【特許文献１】特表２００５−５２８６５８公報
【発明の概要】
【発明が解決しようとする課題】
【０００５】
透明パネルを支持する支持部材は、マルチディスプレイの下方の支持面に支持される。このため、支持部材は、マルチディスプレイの下方から上方へ至る領域に配置され、互いに隣接するディスプレイ同士の間に配置されることがある。
【０００６】
特許文献１に記載の従来のフロア型マルチディスプレイ装置は、透明パネルに加えられる圧力及び衝撃を複数の支持部材に分担させて拡散させることを目的として構成されており、支持部材に大きな剛性が要求される。したがって、従来のように支持部材として円柱や角柱等の部材が用いられると、隣接するディスプレイ同士の間の隙間が大きくなり、隣接するディスプレイ間の映像の連続性が低下するので、提供される映像が見やすいものではなくなる。
【０００７】
この発明の目的は、見やすい映像を提供できるフロア型マルチディスプレイ装置及びフロア型マルチディスプレイ装置設置用フロア構造を提供することにある。
【課題を解決するための手段】
【０００８】
この発明のフロア型マルチディスプレイ装置は、マルチディスプレイ、１又は複数の透明パネル、及び複数の支持部材を備える。マルチディスプレイは、フロアに沿う方向にマトリクス配置された複数のディスプレイからなる。透明パネルは、マルチディスプレイの全体を覆うようにマルチディスプレイの上方にマルチディスプレイに対して間隙をあけて配置される。支持部材は、複数のディスプレイのうち互いに隣接するディスプレイ同士の間に点在するように配置される複数の第１支持部材、及びマルチディスプレイの周囲に配置される１又は複数の第２支持部材を含む。複数の支持部材のそれぞれは、複数のディスプレイのそれぞれの側面に沿う方向に側面に近接配置されるプレート部、プレート部の上端部に設けられて透明パネルを受ける受け部、及びプレート部の下端部に設けられてマルチディスプレイの下方の支持面に支持される基部を備える。第１支持部材の受け部及び基部は、プレート部に対して、近接する２個のディスプレイの両者側へ突出する。第２支持部材の受け部及び基部は、プレート部に対して、近接する１個のディスプレイ側のみへ突出する。
【０００９】
この構成では、第１支持部材はプレート部を有し、互いに隣接するディスプレイ同士の間に配置されるのがプレート部であるので、互いに隣接するディスプレイ同士の間の隙間が小さくなり、互いに隣接するディスプレイ間の映像の連続性の低下が抑制される。また、第１支持部材は、互いに隣接するディスプレイ同士の間の全ての領域に配置されるのではなく、点在するように配置されるので、特にディスプレイが斜め方向から見られた際における、第１支持部材が阻害要因となって見えなくなるディスプレイの死角領域が少なくなる。さらに、透明パネルを支持する複数の第１支持部材は点在するように配置されるので、透明パネルの撓みが抑えられる。このため、透明パネルの厚さを小さくすることができる。
【００１０】
また、互いに隣接するディスプレイ同士の間に配置される第１支持部材の受け部及び基部は、プレート部に対して、近接する２個のディスプレイの両者側へ突出するので、同じ長さが一方側のみへ突出する場合と比較して、受け部及び基部の耐圧性能が向上する。さらに、第１支持部材の受け部が両者側へ突出するので、透明パネルが複数のディスプレイのそれぞれに１個ずつ配置された場合に、フロアに沿う方向においてディスプレイの輪郭と透明パネルの輪郭とを一致させることができるので、透明パネルの輪郭が映像と重なって映像が見にくくなることが抑制される。また、マルチディスプレイの周囲に配置される第２支持部材の受け部及び基部は、プレート部に対して、近接する１個のディスプレイ側のみへ突出し、マルチディスプレイの外側へは突出しないので、複数の透明パネルを備える場合に、全ての透明パネルを単一のサイズに統一することができ、製造効率が向上し、低コスト化できる。
【００１１】
上述の構成において、複数の支持部材のそれぞれは、１枚の金属板が折り曲げられて構成されたものとすることができる。互いに隣接するディスプレイ同士の間には、第１支持部材のプレート部が配置される。このため、互いに隣接するディスプレイ同士の隙間は１枚の金属板の厚さという小さい値にすることができ、互いに隣接するディスプレイ間の映像の連続性の低下がより抑制される。また、マルチディスプレイの周囲には第２支持部材のプレート部が配置されるが、マルチディスプレイの周囲の隙間も１枚の金属板の厚さという小さい値にすることができ、塵埃の侵入が抑制される。
【００１２】
また、複数の透明パネルは、複数のディスプレイのそれぞれに対応して配置することができる。これによって、１個の透明パネルが複数のディスプレイを覆う場合と比較して透明パネルのそれぞれを小型化できるので、透明パネルの運送及び管理が容易になる。さらに、複数の透明パネルを互いに同サイズに形成することができ、低コスト化を図ることができる。
【００１３】
この発明のフロア型マルチディスプレイ装置設置用フロア構造は、上述のいずれかの構成のフロア型マルチディスプレイ装置、及びマルチディスプレイと透明パネルとの間隙の空間を外部へ連通させるダクトを備える。マルチディスプレイは、フロアに設けられた凹部内に収容される。透明パネルは、上面がフロアと同一面を構成するように配置される。
【００１４】
この構成では、ディスプレイのそれぞれからマルチディスプレイと透明パネルとの間隙の空間へ放出された熱が、ダクトを通して外部へ排出される。このため、フロア型マルチディスプレイ装置の熱による損傷が抑制される。
【発明の効果】
【００１５】
この発明によれば、見やすい映像を提供することができる。
【図面の簡単な説明】
【００１６】
【図１】この発明の実施形態に係るフロア型マルチディスプレイ装置の正面断面図である。
【図２】図１に示すＡ１−Ａ２線におけるフロア型マルチディスプレイ装置設置用フロア構造の断面図である。
【図３】フロア型マルチディスプレイ装置に備えられるマルチディスプレイ及び支持部材の斜視図である。
【図４】複数の支持部材の配置状態を示す斜視図である。
【図５】一部の支持部材の配置状態を示す拡大図である。
【図６】（Ａ）は第１短辺側支持部材の左側面図であり、（Ｂ）はその平面図であり、（Ｃ）はその右側面図であり、（Ｄ）はその正面図である。
【図７】（Ａ）は第１短辺側支持部材に含まれる支持板の平面図であり、（Ｂ）はその右側面図であり、（Ｃ）はその底面図であり（Ｄ）はその正面図である。
【図８】（Ａ）は第１短辺側支持部材に含まれる補強板の平面図であり、（Ｂ）はその正面図である。
【図９】互いに隣接するディスプレイ同士の間に配置された状態の第１短辺側支持部材の斜視図である。
【図１０】（Ａ）は第１長辺側支持部材の平面図であり、（Ｂ）はその正面図である。
【図１１】（Ａ）は第１長辺側支持部材に含まれる支持板の平面図であり、（Ｂ）はその右側面図であり、（Ｃ）はその正面図である。
【図１２】（Ａ）は第１長辺側支持部材に含まれる補強板の平面図であり、（Ｂ）はその右側面図である。
【図１３】（Ａ）は第２短辺側支持部材の左側面図であり、（Ｂ）はその平面図であり、（Ｃ）はその正面図である。
【図１４】（Ａ）は第２長辺側支持部材の背面図であり、（Ｂ）はその平面図であり、（Ｃ）はその右側面図である。
【発明を実施するための形態】
【００１７】
以下に、この発明を実施するための形態について、図面に基づいて説明する。
【００１８】
図１〜図３に示すように、フロア型マルチディスプレイ装置１０は、マルチディスプレイ２０、複数の透明パネル３０、並びに複数の第１支持部材４０及び複数の第２支持部材５０を含む複数の支持部材を備えている。図１及び図２では、一部の断面表記が省略されている。
【００１９】
マルチディスプレイ２０は、フロア６０に沿う方向にマトリクス配置された複数のディスプレイ２１から構成されている。複数のディスプレイ２１によって１つの表示画面が構成される。図３に示すように、一例として、マルチディスプレイ２０は、４行×６列の２４個のディスプレイ２１から構成されている。複数のディスプレイ２１は、それぞれ平面視において長方形の外形を有し、互いに同サイズである。ディスプレイ２１として、額の幅が狭いものが用いられることが好ましい。
【００２０】
フロア６０には、凹部６１が設けられている。一例として、凹部６１の底面６２及びフロア６０は、水平に形成されている。マルチディスプレイ２０は、凹部６１内に収容されている。凹部６１の底面６２には、複数の支柱７０が立設されている。支柱７０のそれぞれは、ディスプレイ２１の短辺に平行なＹ方向において凹部６１の一端側の側壁から他端側の側壁に至るように構成されている。複数の支柱７０は、ディスプレイ２１の長辺に平行なＸ方向に、互いに間隔をあけて配置されている。ディスプレイ２１のそれぞれは、複数の支柱７０によって、上面がフロア６０に沿う方向に配置されるように支持されている。
【００２１】
透明パネル３０のそれぞれは、アクリル板で構成されている。複数の透明パネル３０は、マルチディスプレイ２０の全体を覆うように、マルチディスプレイ２０の上方に、マルチディスプレイ２０に対して間隙８１をあけて配置されている。複数の透明パネル３０は、上面がフロア６０と同一面を構成するように配置されている。一例として、複数の透明パネル３０は、複数のディスプレイ２１のそれぞれに対応して配置されている。即ち、透明パネル３０は、複数のディスプレイ２１のそれぞれの全体を１個の透明パネル３０で覆うように、ディスプレイ２１と同数だけ備えられている。
【００２２】
複数の透明パネル３０は、複数の第１支持部材４０及び複数の第２支持部材５０によって支持されている。第１支持部材４０のそれぞれ及び第２支持部材５０のそれぞれは、ステンレス製である。
【００２３】
複数の第１支持部材４０は、複数のディスプレイ２１のうち互いに隣接するディスプレイ２１同士の間に点在するように配置されている。複数の第２支持部材５０は、マルチディスプレイ２０の周囲に配置されている。
【００２４】
以下の説明においては、第１支持部材４０のうち、互いに隣接するディスプレイ２１の短辺同士の間に配置されたものを、第１短辺側支持部材４０Ａと称することがある。第１支持部材４０のうち、互いに隣接するディスプレイ２１の長辺同士の間に配置されたものを、第１長辺側支持部材４０Ｂと称することがある。第２支持部材５０のうち、マルチディスプレイ２０の短辺に沿って配置されたものを、第２短辺側支持部材５０Ａと称することがある。第２支持部材５０のうち、マルチディスプレイ２０の長辺に沿って配置されたものを、第２長辺側支持部材５０Ｂと称することがある。
【００２５】
図３〜図５に示すように、第１短辺側支持部材４０Ａは、ディスプレイ２１の短辺に平行なＹ方向に並べられている。第１長辺側支持部材４０Ｂは、ディスプレイ２１の長辺に平行なＸ方向に並べられている。
【００２６】
第１短辺側支持部材４０Ａは、Ｙ方向において、ディスプレイ２１のそれぞれの中央部、マルチディスプレイ２０の両端部、及び互いに隣接する２個のディスプレイ２１のそれぞれの互いに隣接する端部を１個の第１短辺側支持部材４０Ａで支持する位置に配置されている。第１長辺側支持部材４０Ｂは、ディスプレイ２１のそれぞれの一方の長辺について、互いに所定間隔をあけて２個ずつ配置されている。
【００２７】
第２短辺側支持部材５０Ａは、マルチディスプレイ２０の短辺に配置された複数のディスプレイ２１のそれぞれの短辺に１個ずつ配置されている。Ｙ方向において、第２短辺側支持部材５０Ａのそれぞれは、ディスプレイ２１の短辺と略同じ長さに形成されており、結果として第２短辺側支持部材５０Ａはマルチディスプレイ２０の短辺の全域に配置されている。第２長辺側支持部材５０Ｂは、第１長辺側支持部材４０Ｂと同様の位置に配置されている。
【００２８】
図２に示すように、フロア６０の内部には、ダクト８２が設けられている。ダクト８２の一端部８２Ａは、凹部６１の側壁に開口し、マルチディスプレイ２０と透明パネル３０との間隙８１に連通している。ダクト８２の他端部８２Ｂは、フロア型マルチディスプレイ装置１０の外部へ開口している。これによって、ディスプレイ２１のそれぞれから間隙８１の空間へ放出された熱が、ダクト８２を通して外部へ排出される。このため、フロア型マルチディスプレイ装置１０の熱による損傷が抑制される。なお、ダクト８２内に、間隙８１内の空気を外部へ排出する送風装置を設けることもできる。
【００２９】
図６（Ａ）〜図６（Ｄ）、図７（Ａ）〜図７（Ｄ）、図８（Ａ）及び図８（Ｂ）に示すように、第１短辺側支持部材４０Ａは、支持板４１Ａ、及び補強板４２Ａから構成されている。
【００３０】
図７（Ａ）〜図７（Ｄ）に示すように、支持板４１Ａは、プレート部４１１Ａ、受け部４１２Ａ、及び基部４１３Ａを備え、１枚の金属板が金属プレス加工によって折り曲げられて構成されている。一例として、支持板４１Ａ及び補強板４２Ａのそれぞれの厚さは、２ｍｍである。
【００３１】
プレート部４１１Ａは、略長方形を呈し、垂直に立設されている。プレート部４１１Ａの上端部であってプレート部４１１Ａの幅方向における中央部に、半円形の切り欠き部４１４Ａが設けられている。同様に、プレート部４１１Ａの下端部であってプレート部４１１Ａの幅方向における中央部に、半円形の切り欠き部４１５Ａが設けられている。プレート部４１１Ａに切り欠き部４１４Ａ，４１５Ａが設けられていることで、金属プレス加工時における亀裂の発生が抑制される。
【００３２】
受け部４１２Ａは、プレート部４１１Ａの上端部に設けられている。受け部４１２Ａは、プレート部４１１Ａの幅方向において、切り欠き部４１４Ａに対する一方側と他方側とが互いに反対方向へ突出するように折り曲げられて構成されている。プレート部４１１Ａと受け部４１２Ａとは、互いに垂直である。
【００３３】
基部４１３Ａは、プレート部４１１Ａの下端部に設けられている。基部４１３Ａは、受け部４１２Ａと同様に、プレート部４１１Ａの幅方向において、切り欠き部４１５Ａに対する一方側と他方側とが互いに反対方向へ突出するように折り曲げられて構成されている。プレート部４１１Ａと基部４１３Ａとは、互いに垂直である。受け部４１２Ａと基部４１３Ａとは、互いに平行である。図７（Ａ）に示すように、一例として、受け部４１２Ａ及び基部４１３Ａは、受け部４１２Ａの真下に基部４１３Ａが配置されるように構成されている。
【００３４】
図８（Ａ）及び図８（Ｂ）に示すように、補強板４２Ａは、プレート状に形成されている。図６（Ａ）〜図６（Ｄ）に示すように、補強板４２Ａは、受け部４１２Ａに溶接される。
【００３５】
図９に示すように、第１短辺側支持部材４０Ａのそれぞれのプレート部４１１Ａは、複数のディスプレイ２１のそれぞれの側面に沿う方向に、複数のディスプレイ２１のそれぞれの側面に近接するように配置されている。第１短辺側支持部材４０Ａのそれぞれの受け部４１２Ａは、補強板４２Ａとともに、透明パネル３０を受けている。第１短辺側支持部材４０Ａのそれぞれの基部４１３Ａは、支柱７０の上端部に固定され、支柱７０を介して底面（支持面）６２に支持されている。なお、図９では、透明パネル３０及び支柱７０の記載が省略されている。
【００３６】
第１短辺側支持部材４０Ａのそれぞれの受け部４１２Ａ及び基部４１３Ａは、プレート部４１１Ａに対して、近接する２個のディスプレイ２１の両者側へ突出している。
【００３７】
図１０（Ａ）、図１０（Ｂ）、図１１（Ａ）〜図１１（Ｃ）、図１２（Ａ）及び図１２（Ｂ）に示すように、第１長辺側支持部材４０Ｂは、支持板４１Ｂ、及び補強板４２Ｂから構成されている。支持板４１Ｂは、プレート部４１１Ｂ、受け部４１２Ｂ、及び基部４１３Ｂを備え、１枚の金属板が金属プレス加工によって折り曲げられて構成されている。プレート部４１１Ｂは、プレート部４１１Ａと同様に、切り欠き部４１４Ｂ，４１５Ｂを有している。第１長辺側支持部材４０Ｂは、第１短辺側支持部材４０Ａと実質的に同様に構成されている。
【００３８】
図１３（Ａ）〜図１３（Ｃ）に示すように、第２短辺側支持部材５０Ａは、プレート部５１Ａ、受け部５２Ａ、及び基部５３Ａを備え、１枚の金属板が金属プレス加工によって折り曲げられて構成されている。一例として、第２短辺側支持部材５０Ａの厚さは、２ｍｍである。
【００３９】
プレート部５１Ａは、長方形を呈し、垂直に立設されている。受け部５２Ａは、プレート部５１Ａの上端部に設けられ、プレート部５１Ａに対して一方側へ突出するように折り曲げられて構成されている。受け部５２Ａとプレート部５１Ａとは、互いに垂直である。
【００４０】
基部５３Ａは、プレート部５１Ａの下端部に設けられ、プレート部５１Ａに対して一方側へ突出するように折り曲げられて構成されている。基部５３Ａとプレート部５１Ａとは、互いに垂直である。受け部５２Ａと基部５３Ａとは、平行であり、プレート部５１Ａに対して同方向へ突出している。
【００４１】
第２短辺側支持部材５０Ａは、受け部５２Ａ及び基部５３Ａがプレート部５１Ａに対して、近接する１個のディスプレイ２１側のみへ突出する方向に配置される。
【００４２】
図１４（Ａ）〜図１４（Ｃ）に示すように、第２長辺側支持部材５０Ｂは、プレート部５１Ｂ、受け部５２Ｂ、及び基部５３Ｂを備え、１枚の金属板が金属プレス加工によって折り曲げられて構成されている。第２長辺側支持部材５０Ｂは、受け部５２Ｂ及び基部５３Ｂがプレート部５１Ｂに対して一方側へ突出するように折り曲げられて構成されている点で、第２短辺側支持部材５０Ａと実質的に同様に構成されている。
【００４３】
第２長辺側支持部材５０Ｂは、受け部５２Ｂ及び基部５３Ｂがプレート部５１Ｂに対して、近接する１個のディスプレイ２１側のみへ突出する方向に配置される。
【００４４】
フロア型マルチディスプレイ装置１０によれば、互いに隣接するディスプレイ２１同士の間に配置されるのがプレート部４１１Ａ，４１１Ｂであるので、互いに隣接するディスプレイ２１同士の間の隙間が小さくなり、互いに隣接するディスプレイ２１間の映像の連続性の低下が抑制され、見やすい映像が提供される。また、第１短辺側支持部材４０Ａ及び第１長辺側支持部材４０Ｂは、互いに隣接するディスプレイ２１同士の間の全ての領域に配置されるのではなく、点在するように配置されるので、特にディスプレイ２１が斜め方向から見られた際における、第１短辺側支持部材４０Ａ及び第１長辺側支持部材４０Ｂが阻害要因となって見えなくなるディスプレイ２１の死角領域が少なくなる。さらに、透明パネル３０を支持する複数の第１短辺側支持部材４０Ａ及び第１長辺側支持部材４０Ｂは、点在するように配置されるので、透明パネル３０の撓みが抑えられる。このため、透明パネル３０の厚さを小さくすることができる。
【００４５】
また、互いに隣接するディスプレイ２１同士の間に配置される第１短辺側支持部材４０Ａ及び第１長辺側支持部材４０Ｂのそれぞれの受け部４１２Ａ，４１２Ｂ及び基部４１３Ａ，４１３Ｂは、プレート部４１１Ａ，４１１Ｂに対して、近接する２個のディスプレイ２１の両者側へ突出するので、同じ長さが一方側のみへ突出する場合と比較して、受け部４１２Ａ，４１２Ｂ及び基部４１３Ａ，４１３Ｂの耐圧性能が向上する。
【００４６】
さらに、第１短辺側支持部材４０Ａ及び第１長辺側支持部材４０Ｂの受け部４１２Ａ，４１２Ｂが近接する２個のディスプレイ２１の両者側へ突出するので、透明パネル３０が複数のディスプレイ２１のそれぞれに１個ずつ配置された場合に、フロア６０に沿う方向においてディスプレイ２１の輪郭と透明パネル３０の輪郭とを略一致させることができ、透明パネル３０の輪郭が映像と重なって映像が見にくくなることが抑制される。
【００４７】
第２短辺側支持部材５０Ａ及び第２長辺側支持部材５０Ｂは、上述のように、マルチディスプレイ２０の周囲に配置される。受け部５２Ａ，５２Ｂ及び基部５３Ａ，５３Ｂは、プレート部５１Ａ，５１Ｂに対して、近接する１個のディスプレイ２１側のみへ突出し、マルチディスプレイ２０から離間する方向へは突出しない。このため、複数の透明パネル３０を備える上述の構成において、透明パネル３０より外側へ第２短辺側支持部材５０Ａ及び第２長辺側支持部材５０Ｂがはみ出さないように構成する場合でも、全ての透明パネル３０を単一のサイズに統一することができ、製造効率が向上し、低コスト化できる。
【００４８】
また、上述のように、第１短辺側支持部材４０Ａ、第１長辺側支持部材４０Ｂ、第２短辺側支持部材５０Ａ、及び第２長辺側支持部材５０Ｂのそれぞれは、１枚の金属板が折り曲げられて構成されているので、互いに隣接するディスプレイ２１同士の間には、第１短辺側支持部材４０Ａ及び第１長辺側支持部材４０Ｂのそれぞれのプレート部４１１Ａ，４１１Ｂが配置される。このため、互いに隣接するディスプレイ２１同士の隙間は１枚の金属板の厚さという小さい値にすることができ、互いに隣接するディスプレイ２１間の映像の連続性の低下がより抑制される。また、マルチディスプレイ２０の周囲には第２短辺側支持部材５０Ａ及び第２長辺側支持部材５０Ｂのプレート部５１Ａ，５１Ｂが配置されるが、マルチディスプレイ２０の周囲の隙間も１枚の金属板の厚さという小さい値にすることができ、塵埃の侵入が抑制される。
【００４９】
さらに、複数の透明パネル３０によってマルチディスプレイ２０の全体が覆われるので、あるサイズの透明パネル３０を種々のサイズのマルチディスプレイに用いることができ、透明パネル３０の汎用性が向上する。
【００５０】
また、複数の透明パネル３０が、複数のディスプレイ２１のそれぞれに対応して配置されることで、１個の透明パネル３０が複数のディスプレイ２１を覆う場合と比較して透明パネル３０のそれぞれを小型化できる。このため、透明パネル３０の運送及び管理が容易になる。さらに、複数の透明パネル３０を互いに同サイズに形成することができ、低コスト化を図ることができる。
【００５１】
なお、透明パネル３０は、ディスプレイ２１と同数だけ備えられることに限定されず、１個の透明パネル３０で複数のディスプレイ２１の全体を覆うように構成することもできる。また、透明パネル３０は、複数備えられることに限定されず、１個の透明パネルがマルチディスプレイ２０の全体を覆うように構成することもできる。
【００５２】
第１短辺側支持部材４０Ａは、必ずしも補強板４２Ａを備える必要がなく、支持板４１Ａで構成することもできる。同様に、第１長辺側支持部材４０Ｂは、必ずしも補強板４２Ｂを備える必要がなく、支持板４１Ｂで構成することもできる。
【００５３】
第２短辺側支持部材５０Ａは、マルチディスプレイ２０の短辺に沿って、点在するように構成することもできる。即ち、第１短辺側支持部材４０Ａ、第１長辺側支持部材４０Ｂ、第２短辺側支持部材５０Ａ、及び第２長辺側支持部材５０Ｂの全てを、複数のディスプレイ２１のそれぞれの周囲に点在するように構成することもできる。
【００５４】
第２支持部材は、複数備えられることに限定されず、１個のみ備えられるように構成することもできる。例えば、マルチディスプレイ２０の周囲の全域に沿って延びるように第２支持部材を１個の部材で構成することもできる。
【００５５】
フロア型マルチディスプレイ装置１０は、フロア６０に設置されるものであり、マルチディスプレイ２０はフロア６０に沿う方向に配置される。しかし、マルチディスプレイ２０は、フロア６０に設けられた凹部６１内に収容されることに限定されず、フロア６０上においてフロア６０に沿う方向に配置された場合にも、上述の複数の支持部材を用いることで、互いに隣接するディスプレイ２１間の映像の連続性の低下を抑制して見やすい映像を提供できること等の効果が奏される。
【００５６】
フロア６０は、水平に形成されていることに限定されない。水平面に対して少し傾斜（例えば、５度以下）しているフロアにフロア型マルチディスプレイ装置１０を設置した場合にも、互いに隣接するディスプレイ２１間の映像の連続性の低下を抑制して見やすい映像を提供できること等の効果が奏される。
【００５７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５８】
１０  フロア型マルチディスプレイ装置
２０  マルチディスプレイ
２１  ディスプレイ
３０  透明パネル
４０Ａ  第１短辺側支持部材（第１支持部材）
４０Ｂ  第１長辺側支持部材（第１支持部材）
５０Ａ  第２短辺側支持部材（第２支持部材）
５０Ｂ  第２長辺側支持部材（第２支持部材）
４１１Ａ，４１１Ｂ，５１Ａ，５１Ｂ  プレート部
４１２Ａ，４１２Ｂ，５２Ａ，５２Ｂ  受け部
４１３Ａ，４１３Ｂ，５３Ａ，５３Ｂ  基部
６０  フロア
６１  凹部
６２  底面（支持面）
８１  間隙
８２  ダクト
【図１】
2012042850.tif 000003
【図２】
2012042850.tif 000004
【図３】
2012042850.tif 000005
【図４】
2012042850.tif 000006
【図５】
2012042850.tif 000007
【図６】
2012042850.tif 000008
【図７】
2012042850.tif 000009
【図８】
2012042850.tif 000010
【図９】
2012042850.tif 000011
【図１０】
2012042850.tif 000012
【図１１】
2012042850.tif 000013
【図１２】
2012042850.tif 000014
【図１３】
2012042850.tif 000015
【図１４】
2012042850.tif 000016